(57)【特許請求の範囲】
【請求項１】
基端側で連結された一対の腕部がその基端連結部付近を変形させることにより開閉するように形成されたクリップと、上記クリップの基端連結部付近に係合することにより上記腕部を閉じた状態に維持するクリップ閉じリングとが、シースの先端付近に上記シースから離脱可能に配置された内視鏡用クリップ装置において、
上記クリップが一枚の板状部材を途中で交差させることなく曲げて形成され、上記基端連結部と上記一対の腕部との境界部が、上記板状部材の板面に沿って側方から見て括れた形状に曲げて形成され、
上記基端連結部と上記一対の腕部との境界部において、上記板状部材が両外側から内向きに突出した形状に曲げられてその頂部どうしで当接していることを特徴とする内視鏡用クリップ装置。
【請求項２】
上記クリップが全体にわたってほぼ同幅に形成されている請求項１記載の内視鏡用クリップ装置。
【発明の詳細な説明】
【０００１】
【発明の属する技術分野】
この発明は、内視鏡の処置具挿通チャンネルに通して使用されて、体内の止血、結紮或いはマーキング等を行うために用いられる内視鏡用クリップ装置に関する。
【０００２】
【従来の技術】
内視鏡用クリップ装置は一般に、基端側で連結された一対の腕部がその基端連結部付近を変形させることにより開閉するように形成されたクリップと、そのクリップの基端連結部付近に係合することにより一対の腕部を閉じた状態に維持するクリップ閉じリングとが、シースの先端付近にシースから離脱可能に配置されている。
【０００３】
そして、そのようなクリップ装置に用いられるクリップは、バネ性のある一枚のステンレス鋼板材等を基端側でα状に曲げて形成され、その延出部が腕部になっている（実公昭５３−１１５８９号等）。
【０００４】
【発明が解決しようとする課題】
しかし、上述のように基端側がα状に曲がった形状に一枚の板材から形成されたクリップは、αの交差部分である基端連結部と腕部との境界部において板材の幅が半分以下になるので、その部分が強度的に脆弱になり、取り扱い中に誤って変形させて使用不能になってしまうことが珍しくなかった。
【０００５】
そこで本発明は、一枚の板材を曲げて形成されたクリップが腕部と基端連結部との境界部において低強度にならず、クリップを誤って変形させる恐れのない取り扱い易い内視鏡用クリップ装置を提供することを目的とする。
【０００６】
【課題を解決するための手段】
上記の目的を達成するため、本発明の内視鏡用クリップ装置は、基端側で連結された一対の腕部がその基端連結部付近を変形させることにより開閉するように形成されたクリップと、クリップの基端連結部付近に係合することにより腕部を閉じた状態に維持するクリップ閉じリングとが、シースの先端付近にシースから離脱可能に配置された内視鏡用クリップ装置において、クリップが一枚の板状部材を途中で交差させることなく曲げて形成され、基端連結部と一対の腕部との境界部が括れた形状に曲げて形成されているものである。
【０００７】
なお、基端連結部と一対の腕部との境界部において、板状部材が両外側から内向きに突出した形状に曲げられていてもよく、その突出部分の頂部どうしが当接していてもよい。
【０００８】
また、クリップが全体にわたってほぼ同幅に形成されていてもよい。
【０００９】
【発明の実施の形態】
図面を参照して本発明の実施例を説明する。
図２は内視鏡用クリップ装置の全体構成を示しており、例えば四フッ化エチレン樹脂チューブ等からなる可撓性のシース１の先端部分にクリップ２が配置されている。
【００１０】
図２においては、クリップ２は基端寄りの部分がシース１の先端内に収容されていて、開いた状態の一対の腕部２ａとその各先端に内方に向かって突出形成された爪状部２ｂとが見えている。
【００１１】
シース１の基端に連結された操作部２０は、端部に指掛け２３ａが取り付けられた本体軸２３にスライダー２２がスライド自在に取り付けられ、シース１の基端筒状体２１が本体軸２３及びスライダー２２に対して独立してスライド自在に配置されて構成されている。
【００１２】
図１はシース１の先端部分を拡大して示しており、この図においては、外力が加わっていない時の自然状態（即ち、一対の腕部２ａが平行な状態）になったクリップ２が、ほぼ完全にシース１内に引き込まれている。
【００１３】
クリップ２は、例えばバネ用ステンレス鋼板材等の板状部材により形成されていて、自然状態では平行になる一対の腕部２ａの基端側が、ほぼ３６０°の環状に形成された基端連結部２ｃにより連結され、各腕部２ａの先端部分から、爪状部２ｂが内方に折れ曲がって突出形成されている。
【００１４】
クリップ２は、一枚の板状部材を途中で交差させることなく曲げて形成されており、基端連結部２ｃと一対の腕部２ａとの境界部２ｔは、板状部材が両外側から各々内向きに突出した括れた形状に曲げられて、その突出部分の頂部どうしが当接している。
【００１５】
そのように形成されたクリップ２は、境界部２ｔ及びその他のどの部分においても幅狭部を設ける必要がなく、全体にわたって略一定の幅に形成されている。したがって強度的に脆弱な部分がなく、取り扱い中に誤って変形させてしまう恐れがない。なお、爪状部２ｂを少し細めに形成する等の工夫をすることは、強度的に悪影響が生じるものではない。
【００１６】
シース１の軸線位置には、操作部２０に配置された前述のスライダー２２によって軸線方向に進退操作される操作ワイヤ３がシース１の軸線位置に進退自在に配置されていて、その先端には、クリップ２に対して係脱させることができるクリップ連結フック４がつなぎ部材５を介して取り付けられている。
【００１７】
クリップ連結フック４は、外径が太く形成された先端部分がクリップ２の基端連結部２ｃの基端に形成された連結孔２ｄに通されて抜け止め状態になることによりクリップ２と連結されている。
【００１８】
そして、後述する図４に示されるように、クリップ連結フック４の軸線方向に形成されたスリ割りを狭めるように弾性変形させることによって、クリップ連結フック４を連結孔２ｄから抜き出してクリップ２に対する連結状態を解除することができる。
【００１９】
シース１の先端内には、クリップ２の基端連結部２ｃを変形させるためのクリップ閉じリング６が配置されている。クリップ閉じリング６は基端側の内径が先端側より細く形成された短筒状に形成されていて、クリップ２の基端連結部２ｃは、クリップ閉じリング６内に引き込まれることにより変形する。
【００２０】
クリップ閉じリング６の基端部分が係脱自在に嵌め込まれたリング受け部材８は、操作部２０の本体軸２３に連結された例えばステンレス鋼線材の密巻コイルからなるリング押出コイル７の先端に固着されている。
【００２１】
このように構成された内視鏡用クリップ装置においては、図示されていない内視鏡の処置具挿通チャンネルにシース１を通し、クリップ２がシース１の先端から前方に出た状態にして、クリップ閉じリング６を操作部２０側から押し出す（又は、操作ワイヤ３を操作部２０側から牽引する）。
【００２２】
すると、まず図３に示されるように、クリップ２の基端連結部２ｃがクリップ閉じリング６内に引き込まれた状態になって変形することにより、一対の腕部２ａが開いた状態に変化する。
【００２３】
その状態で一対の腕部２ａの間に患部を位置させ、クリップ閉じリング６を操作部２０側から押し出すと、図４に示されるように、基端連結部２ｃがさらに変形すると同時にクリップ閉じリング６の先端がクリップ２の一対の腕部２ａを背側から押し、それによって一対の腕部２ａが平行に閉じた状態になり、爪状部２ｂが患部１００の粘膜に突き刺さる状態になる。
【００２４】
また、クリップ２の基端連結部２ｃがクリップ閉じリング６の基端側の細い内径部に嵌まり込んで潰される状態に変形し、それによって、クリップ連結フック４が潰されて連結孔２ｄから抜け出せる状態になる。
【００２５】
そこで、クリップ連結フック４をクリップ２から外して、シース１側の部分全体を手元側に引き去ることにより、図５に示されるように、クリップ閉じリング６と共にクリップ２が患部１００の粘膜に食い付いた状態に留置される。
【００２６】
【発明の効果】
本発明によれば、クリップが一枚の板状部材を途中で交差させることなく曲げて形成され、基端連結部と一対の腕部との境界部が括れた形状に曲げて形成されていることにより、板状部材の幅を腕部と基端連結部との境界部を含めてどの部分においても狭く形成する必要がないので、クリップが低強度にならず、取り扱い中等にクリップを誤って変形させる恐れがない。
【図面の簡単な説明】
【図１】本発明の実施例の内視鏡用クリップ装置の先端部分の側面断面図である。
【図２】本発明の実施例の内視鏡用クリップ装置の全体構成を示す外観図である。
【図３】本発明の実施例の内視鏡用クリップ装置のクリップの開閉動作における開状態を示す側面断面図である。
【図４】本発明の実施例の内視鏡用クリップ装置のクリップの開閉動作における閉状態を示す側面断面図である。
【図５】本発明の実施例の内視鏡用クリップ装置のクリップの留置状態を示す側面断面図である。
【符号の説明】
１  シース
２  クリップ
２ａ  腕部
２ｂ  爪状部
２ｃ  基端連結部
２ｔ  境界部
３  操作ワイヤ
４  クリップ連結フック
５  つなぎ部材
６  クリップ閉じリング
７  リング押出コイル
２０  操作部
【図１】
0004105406.tif 000002
【図２】
0004105406.tif 000003
【図３】
0004105406.tif 000004
【図４】
0004105406.tif 000005
【図５】
0004105406.tif 000006